(57)【特許請求の範囲】
【請求項１】
光ディスクからの戻り光を検出する光検出器から出力される電気信号に基づいてフォーカスエラー信号を生成するフォーカスエラー信号生成手段と、
前記光検出器から出力される電気信号に基づいてフォーカスサム信号を生成するフォーカスサム信号生成手段と、
前記光ディスクの種類を判別する判別手段とを備え、
前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、
前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、
前記判別手段は、
前記第１フォーカスエラー信号の前記第１フォーカスサム信号に対する比に応じた第１判別値が第１閾値以上であり、且つ、前記第１フォーカスエラー信号が第２閾値以上である場合に、判別結果をＣＤに確定し、
前記第２フォーカスエラー信号の前記第２フォーカスサム信号に対する比に応じた第２判別値が第３閾値以上である場合に、判別結果をＤＶＤに確定し、
前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスエラー信号が前記第２フォーカスエラー信号以上である場合に、判別結果をＣＤに確定することを特徴とする光ディスク装置。
【請求項２】
光ディスクからの戻り光を検出する光検出器から出力される電気信号に基づいてフォーカスエラー信号を生成するフォーカスエラー信号生成手段と、
前記光検出器から出力される電気信号に基づいてフォーカスサム信号を生成するフォーカスサム信号生成手段と、
前記光ディスクの種類を判別する判別手段とを備え、
前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、
前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、
前記判別手段は、
前記第１フォーカスエラー信号の前記第１フォーカスサム信号に対する比に応じた第１判別値が第１閾値以上であり、且つ、前記第１フォーカスエラー信号が第２閾値以上である場合に、判別結果をＣＤに確定し、
前記第２フォーカスエラー信号の前記第２フォーカスサム信号に対する比に応じた第２判別値が第３閾値以上である場合に、判別結果をＤＶＤに確定し、
前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスサム信号が前記第２フォーカスサム信号以上である場合に、判別結果をＣＤに確定することを特徴とする光ディスク装置。
【請求項３】
光ディスクからの戻り光を検出する光検出器から出力される電気信号に基づいてフォーカスエラー信号を生成するフォーカスエラー信号生成手段と、
前記光検出器から出力される電気信号に基づいてフォーカスサム信号を生成するフォーカスサム信号生成手段と、
前記光ディスクの種類を判別する判別手段とを備え、
前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、
前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、
前記判別手段は、
前記第１フォーカスエラー信号の前記第１フォーカスサム信号に対する比に応じた第１判別値が第１閾値以上であり、且つ、前記第１フォーカスサム信号が第４閾値以上である場合に、判別結果をＣＤに確定し、
前記第２フォーカスエラー信号の前記第２フォーカスサム信号に対する比に応じた第２判別値が第３閾値以上である場合に、判別結果をＤＶＤに確定し、
前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスエラー信号が前記第２フォーカスエラー信号以上である場合に、判別結果をＣＤに確定することを特徴とする光ディスク装置。
【請求項４】
光ディスクからの戻り光を検出する光検出器から出力される電気信号に基づいてフォーカスエラー信号を生成するフォーカスエラー信号生成手段と、
前記光検出器から出力される電気信号に基づいてフォーカスサム信号を生成するフォーカスサム信号生成手段と、
前記光ディスクの種類を判別する判別手段とを備え、
前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、
前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、
前記判別手段は、
前記第１フォーカスエラー信号の前記第１フォーカスサム信号に対する比に応じた第１判別値が第１閾値以上であり、且つ、前記第１フォーカスサム信号が第４閾値以上である場合に、判別結果をＣＤに確定し、
前記第２フォーカスエラー信号の前記第２フォーカスサム信号に対する比に応じた第２判別値が第３閾値以上である場合に、判別結果をＤＶＤに確定し、
前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスサム信号が前記第２フォーカスサム信号以上である場合に、判別結果をＣＤに確定することを特徴とする光ディスク装置。
【発明の詳細な説明】
【技術分野】
【０００１】
本発明は、光ディスク装置に関し、特に光ディスクの種類の判別を行う光ディスク装置に関する。
【背景技術】
【０００２】
近年、ＣＤ（Compact Disc）、ＣＤよりも記録容量の多いＤＶＤ（Digital Versatile Disc）、ＤＶＤよりも記録容量の多いＢＤ（Blu-ray Disc：登録商標）といった光ディスクが普及している。
【０００３】
ＤＶＤに対応可能な光ディスク装置は、ＤＶＤよりも記録容量の少ないＣＤにも対応可能な構成であることが一般的である。また、ＢＤに対応可能な光ディスク装置は、ＢＤよりも記録容量の少ないＣＤ及びＤＶＤにも対応可能な構成であることが一般的である。
【０００４】
上記のような複数種類の光ディスクに対応可能である光ディスク装置では、光ディスクの種類によって再生や記録の設定条件が変わってくるため、光ディスクの再生や記録の前に光ディスクの種類を判別する必要がある。
【先行技術文献】
【特許文献】
【０００５】
【特許文献１】特開２００９―５４２２９号公報
【特許文献２】特許第３８９０７０９号公報
【特許文献３】特開平９−１０６６１７号公報
【発明の概要】
【発明が解決しようとする課題】
【０００６】
少なくともＣＤ及びＤＶＤに対応可能な光ディスク装置では、一般的に図９に示すフロー動作によって、光ディスクがＣＤ、ＤＶＤのいずれであるかを判別している。
【０００７】
しかしながら、ＤＶＤ−ＲＡＭでは、ガードゾーンやＣＡＰＡ（Complementary Allocated Pit Address）が存在するため、波長７８０ｎｍ帯の赤外レーザ（ＣＤ用レーザ）を出射するＬＤ（Laser Diode）でフォーカスサーチを行ったときのフォーカスエラー信号ＣＤＬＤ＿ＦＥ及びフォーカスサム信号ＣＤＬＤ＿ＦＳが極端に小さくなり、ステップＳ２０で設定する判別値Ａの精度が高くなかった。このため、ステップＳ３０やステップＳ７０での判定により、ＤＶＤが誤ってＣＤと判別される場合があった。
【０００８】
尚、特許文献１〜３では、光ディスクがＣＤ、ＤＶＤのいずれであるかを判別する技術が開示されているが、いずれの技術も上記判別値Ａの精度が高くないためにＤＶＤが誤ってＣＤと判別されることを防止するものではない。
【０００９】
本発明は、上記の状況に鑑み、ＤＶＤを誤ってＣＤと判別することを防止することができる光ディスク装置を提供することを目的とする。
【課題を解決するための手段】
【００１０】
上記目的を達成するために本発明の一局面に係る光ディスク装置は、光ディスクからの戻り光を検出する光検出器から出力される電気信号に基づいてフォーカスエラー信号を生成するフォーカスエラー信号生成手段と、前記光検出器から出力される電気信号に基づいてフォーカスサム信号を生成するフォーカスサム信号生成手段と、前記光ディスクの種類を判別する判別手段とを備え、前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、前記判別手段は、前記第１フォーカスエラー信号の前記第１フォーカスサム信号に対する比に応じた第１判別値が第１閾値以上であり、且つ、前記第１フォーカスエラー信号が第２閾値以上である場合に、判別結果をＣＤに確定し、前記第２フォーカスエラー信号の前記第２フォーカスサム信号に対する比に応じた第２判別値が第３閾値以上である場合に、判別結果をＤＶＤに確定し、前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスエラー信号が前記第２フォーカスエラー信号以上である場合に、判別結果をＣＤに確定する構成（第１の構成）とする。
【００１１】
このような構成によると、第１判別値が第１閾値以上であっても、第１フォーカスエラー信号が第２閾値より小さければ、 判別手段は判別結果をＣＤに確定しない。したがって、第１フォーカスエラー信号が極端に小さくなるＤＶＤ−ＲＡＭを誤ってＣＤと判別することを防止することができる。
【００１２】
上記目的を達成するために本発明の他の局面に係る光ディスク装置は、光ディスクからの戻り光を検出する光検出器から出力される電気信号に基づいてフォーカスエラー信号を生成するフォーカスエラー信号生成手段と、前記光検出器から出力される電気信号に基づいてフォーカスサム信号を生成するフォーカスサム信号生成手段と、前記光ディスクの種類を判別する判別手段とを備え、前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、前記判別手段は、前記第１フォーカスエラー信号の前記第１フォーカスサム信号に対する比に応じた第１判別値が第１閾値以上であり、且つ、前記第１フォーカスエラー信号が第２閾値以上である場合に、判別結果をＣＤに確定し、前記第２フォーカスエラー信号の前記第２フォーカスサム信号に対する比に応じた第２判別値が第３閾値以上である場合に、判別結果をＤＶＤに確定し、前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスサム信号が前記第２フォーカスサム信号以上である場合に、判別結果をＣＤに確定する構成（第２の構成）とする。このような構成によると、第１判別値が第１閾値以上であっても、第１フォーカスエラー信号が第２閾値より小さければ、 判別手段は判別結果をＣＤに確定しない。したがって、第１フォーカスエラー信号が極端に小さくなるＤＶＤ−ＲＡＭを誤ってＣＤと判別することを防止することができる。
【００１３】
上記目的を達成するために本発明の更に他の局面に係る光ディスク装置は、光ディスクからの戻り光を検出する光検出器から出力される電気信号に基づいてフォーカスエラー信号を生成するフォーカスエラー信号生成手段と、前記光検出器から出力される電気信号に基づいてフォーカスサム信号を生成するフォーカスサム信号生成手段と、前記光ディスクの種類を判別する判別手段とを備え、前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、前記判別手段は、前記第１フォーカスエラー信号の前記第１フォーカスサム信号に対する比に応じた第１判別値が第１閾値以上であり、且つ、前記第１フォーカスサム信号が第４閾値以上である場合に、判別結果をＣＤに確定し、前記第２フォーカスエラー信号の前記第２フォーカスサム信号に対する比に応じた第２判別値が第３閾値以上である場合に、判別結果をＤＶＤに確定し、前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスエラー信号が前記第２フォーカスエラー信号以上である場合に、判別結果をＣＤに確定する構成（第３の構成）とする。このような構成によると、第１判別値が第１閾値以上であっても、第１フォーカスサム信号が第４閾値より小さければ、 判別手段は判別結果をＣＤに確定しない。したがって、第１フォーカスサム信号が極端に小さくなるＤＶＤ−ＲＡＭを誤ってＣＤと判別することを防止することができる。
【００１４】
上記目的を達成するために本発明の更に別の他の局面に係る光ディスク装置は、光ディスクからの戻り光を検出する光検出器から出力される電気信号に基づいてフォーカスエラー信号を生成するフォーカスエラー信号生成手段と、前記光検出器から出力される電気信号に基づいてフォーカスサム信号を生成するフォーカスサム信号生成手段と、前記光ディスクの種類を判別する判別手段とを備え、前記フォーカスエラー信号生成手段は、前記光ディスクにＣＤ用レーザビームが照射されたときに第１フォーカスエラー信号を生成し、前記光ディスクにＤＶＤ用レーザビームが照射されたときに第２フォーカスエラー信号を生成し、前記フォーカスサム信号生成手段は、前記光ディスクにＣＤ用レーザビームが照射されたときに第１フォーカスサム信号を生成し、前記光ディスクにＤＶＤ用レーザビームが照射されたときに第２フォーカスサム信号を生成し、前記判別手段は、前記第１フォーカスエラー信号の前記第１フォーカスサム信号に対する比に応じた第１判別値が第１閾値以上であり、且つ、前記第１フォーカスサム信号が第４閾値以上である場合に、判別結果をＣＤに確定し、前記第２フォーカスエラー信号の前記第２フォーカスサム信号に対する比に応じた第２判別値が第３閾値以上である場合に、判別結果をＤＶＤに確定し、前記第１判別値と前記第１閾値との比較を含めた判別でＣＤに確定することも、前記第２判別値と前記第３閾値との比較による判別でＤＶＤに確定することもできず、且つ、前記第１判別値が前記第２判別値以上であり、且つ、前記第１フォーカスサム信号が前記第２フォーカスサム信号以上である場合に、判別結果をＣＤに確定する構成（第４の構成）とする。このような構成によると、第１判別値が第１閾値以上であっても、第１フォーカスサム信号が第４閾値より小さければ、 判別手段は判別結果をＣＤに確定しない。したがって、第１フォーカスサム信号が極端に小さくなるＤＶＤ−ＲＡＭを誤ってＣＤと判別することを防止することができる。
【発明の効果】
【００１５】
本発明に係る光ディスク装置によると、ＤＶＤを誤ってＣＤと判別することを防止することができる。
【図面の簡単な説明】
【００１６】
【図１】本発明の一実施形態に係る光ディスク装置の概略構成を示す図である。
【図２】本発明の一実施形態に係る光ディスク装置が備える光ピックアップの概略構成を示す図である。
【図３】光検出器の受光領域の例を示す図である。
【図４】ＤＶＤであるかＣＤであるかを判別するために、本発明の一実施形態に係る光ディスク装置が実行するフローチャートである。
【図５】ＤＶＤであるかＣＤであるかを判別するために、本発明の一実施形態に係る光ディスク装置が実行する他のフローチャートである。
【図６】ＤＶＤであるかＣＤであるかを判別するために、本発明の一実施形態に係る光ディスク装置が実行する更に他のフローチャートである。
【図７】ＤＶＤであるかＣＤであるかを判別するために、本発明の一実施形態に係る光ディスク装置が実行する更に他のフローチャートである。
【図８】ＤＶＤであるかＣＤであるかを判別するために、本発明の一実施形態に係る光ディスク装置が実行する更に他のフローチャートである。
【図９】ＤＶＤであるかＣＤであるかを判別するために、従来の光ディスク装置が実行するフローチャートである。
【発明を実施するための形態】
【００１７】
本発明の実施形態について図面を参照して以下に説明する。本発明の一実施形態に係る光ディスク装置の概略構成を図１に示す。
【００１８】
本発明の一実施形態に係る光ディスク装置は、ＣＤ、ＤＶＤ、及びＢＤに対応可能な光ディスク装置であって、光ピックアップ１と、ＲＦアンプ３１と、ＤＳＰ（Digital Signal Processor）３２と、再生処理回路３３と、出力回路３４と、ＣＰＵ（Central Processing Unit）４１と、ドライバ４２と、表示部４３と、操作部４４と、送りモータ５１と、スピンドルモータ５２とを備えている。なお、ＤＳＰ３２が、請求項に記載されているフォーカスエラー信号生成手段、フォーカスサム信号生成手段、及び判別手段に相当する。
【００１９】
光ピックアップ１は、光ディスク２に光ビームを照射して、光ディスク２に記録された音声情報、映像情報等の各種情報の読み取りを行う。この光ピックアップ１は、波長７８０ｎｍ帯の赤外レーザビーム（ＣＤ用レーザビーム）、波長６５０ｎｍ帯の赤色レーザビーム（ＤＶＤ用レーザビーム）、及び波長４０５ｎｍ帯の青色レーザビーム（ＢＤ用レーザビーム）を光ディスク２に照射することができる。なお、光ピックアップ１内部の詳細については後述する。
【００２０】
光ピックアップ１により得られた音声情報、及び映像情報は、ＲＦアンプ３１、ＤＳＰ３２、再生処理回路３３、及び出力回路３４により音声及び映像に変換され、それぞれ不図示のスピーカ及びモニタから出力される。ＲＦアンプ３１は、光ピックアップ１からの音声信号や映像信号等を増幅する。ＤＳＰ３２及び再生処理回路３３は、ＲＦアンプ３１からの信号に対して、再生のための各種情報処理（例えば映像処理等）を施す。出力回路３４は、再生処理回路３３からの信号を、不図示のスピーカ及びモニタに出力するためにＤ／Ａ変換処理等を行う。
【００２１】
また、ＤＳＰ３２は、光検出器２０（図２参照）から出力される信号をもとに演算処理を行い、フォーカスエラー信号、トラッキングエラー信号等を生成する。
【００２２】
ＣＰＵ４１は、操作部４４からの情報を受け付けてＤＳＰ３２に伝送すると共に、ＤＳＰ３２からの情報を表示部４３に伝送する。
【００２３】
ドライバ４２は、ＤＳＰ３２からの指示に基づいて、送りモータ５１及びスピンドルモータ５２の動作を制御する。送りモータ５１は、光ピックアップ１を光ディスク２の径方向に移動させる。スピンドルモータ５２は、光ディスク２を回転方向に駆動する。
【００２４】
また、ドライバ４２は、ＤＳＰ３２からの指示に基づいて、ピックアップ装置１内のアクチュエータ２１及びＢＥＸ（Beam Expander）モータ２２（図２参照）の動作も制御する。
【００２５】
次に、本発明の一実施形態に係る光ディスク装置が備える光ピックアップ１の概略構成を図２に示す。
【００２６】
光ピックアップ１は、第一光源１１ａと、第二光源１１ｂと、ダイクロプリズム１２と、コリメートレンズ１３と、ビームスプリッタ１４と、立ち上げミラー１５と、１／４波長板１６と、コリメートレンズ１７と、対物レンズ１８と、検出レンズ１９と、光検出器２０と、アクチュエータ２１と、ＢＥＸモータ２２とを備えている。
【００２７】
第一光源１１ａは、波長７８０ｎｍ帯の赤外レーザビーム（ＣＤ用レーザビーム）と、波長６５０ｎｍ帯の赤色レーザビーム（ＤＶＤ用レーザビーム）とを出射できる２波長一体型ＬＤである。第二光源１１ｂは、４０５ｎｍ帯の青色レーザビーム（ＢＤ用レーザビーム）を出射できるＬＤである。
【００２８】
ダイクロプリズム１２は、第一光源１１ａから出射されるレーザビームを透過し、第二光源１１ｂから出射されるレーザビームを反射する。そして、第一光源１１ａ及び第二光源１１ｂから出射される光ビームの光軸を一致させる。ダイクロプリズム１２において透過又は反射されたレーザビームは、コリメートレンズ１３に送られる。
【００２９】
コレメータレンズ１３は、ダイクロプリズム１２から送られてくるレーザビームを平行光に変換する。コリメートレンズ１３で平行光とされたレーザビームは、ビームスプリッタ１４に送られる。
【００３０】
ビームスプリッタ１４は、入射するレーザビームを分離する光分離素子として機能し、コリメートレンズ１３から送られてきた光ビームを透過して、光ディスク２側へと導くとともに、光ディスク２で反射された反射光を反射して光検出器２１側へと導く。ビームスプリッタ１４を透過したレーザビームは、立ち上げミラー１５に送られる。
【００３１】
立ち上げミラー１５は、ビームスプリッタ１４を透過してきた光ビームを反射して光ディスク２へと導く。立ち上げミラー１５は、ビームスプリッタ１４から送られてくるレーザビームの光軸に対して４５°傾いた状態となっており、立ち上げミラー１５で反射されたレーザビームの光軸は、光ディスク２の記録面と略直交する。
【００３２】
１／４波長板１６は、直線偏光を円偏光に変換し、円偏光を直線偏光に変換する機能を有し、立ち上げミラー１５が反射した直線偏光のレーザビームを円偏光に変換してコリメートレンズ１７に送り、光ディスク２から反射される円偏光のレーザビームを直線偏光に変換して、立ち上げミラー１５に送る。
【００３３】
コリメートレンズ１７は、ＢＥＸモータ２２によって光軸方向（図２の上下方向）に移動可能となっている。コリメートレンズ１７の移動に応じて、コリメートレンズ１７から出射されるレーザビームの状態を発散光としたり、収束光としたりすることができる。そして、このようにコリメートレンズ１７から出射されるレーザビームの状態を変更することで、球面収差の補正を行うことができる。コリメートレンズ１７から出射されるレーザビームは、対物レンズ１８に送られる。
【００３４】
対物レンズ１８は、コリメートレンズ１７から送られてくるレーザビームを光ディスク２の記録面上に集光させる。また、対物レンズ１８は後述するアクチュエータ２１によって、例えば、図２の上下方向及び左右方向に移動可能とされており、フォーカスサーボ信号及びトラッキングサーボ信号に基づいてその位置が制御される。
【００３５】
光ディスク２で反射された反射光は、対物レンズ１８、コリメートレンズ１７、１／４波長板１６の順に通過し、立ち上げミラー１５で反射された後、更にビームスプリッタ１４で反射されて、検出レンズ１７によって光検出器２０上に設けられる受光素子へと集光される。
【００３６】
光検出器２０は、フォトダイオード等の受光素子を用いて受光した光情報を電気信号に変換して、ＤＳＰ３２（図１参照）に出力する。光検出器２０は例えば図３に示すように四分割された受光領域Ａ〜Ｄを備えており、領域毎に個別に光電変換を行って電気信号を出力することが可能である。この場合、ＤＳＰ３２は、領域Ａの電気信号と領域Ｃの電気信号と加算したものから領域Ｂの電気信号と領域Ｄの電気信号と加算したものを引くことでフォーカスエラー信号を生成することができ、領域Ａ〜Ｄの電気信号を加算することでフォーカスサム信号を生成することができる。
【００３７】
アクチュエータ２１は、ドライバ４２（図１参照）で生成され出力された対物レンズ駆動信号に従って、対物レンズ１８を光ディスク２の径方向に移動させる。
【００３８】
アクチュエータ２１は、対物レンズ１８を光ディスク２の記録面に沿う方向に移動させるトラッキング動作の他に、対物レンズ１８から出射されるレーザビームの光軸が揺動するように対物レンズ１８を傾動させるチルト動作や、対物レンズ１８を光ディスク２に対して接近離反するように移動させるフォーカス動作も行うことができる。
【００３９】
以上のように構成された本発明の一実施形態に係る光ディスク装置は、光ディスク２が装置内に挿入された場合に、光ディスク２の種類を判別する。光ディスク２の種類を判別する際には、まずＢＤであるかＢＤでないかが判別される。ＢＤでないと判別されると、本発明の一実施形態に係る光ディスク装置は、ＤＶＤであるかＣＤであるかを判別するために図４に示すフロー動作を開始する。
【００４０】
図４に示すフロー動作が開始されると、ＤＳＰ３２は、第一光源１１ａがＣＤ用レーザビームを出射する場合に適したフォーカスサーチパラメータ（ＣＤＬＤ用フォーカスサーチパラメータ）を設定した後、ＣＤ用レーザビームでフォーカスサーチを行い、光検出器２０から出力される電気信号のレベルを取得する（ステップＳ１０）。
【００４１】
ステップＳ１０に続くステップＳ２０において、ＤＳＰ３２は、ＣＤ用レーザビームでのフォーカスエラー信号ＣＤＬＤ＿ＦＥと、ＣＤ用レーザビームでのフォーカスサム信号ＣＤＬＤ＿ＦＳとを生成し、その後、下記（１）式で表される判別値Ａを設定する（ステップＳ２０）。
判別値Ａ＝ＣＤＬＤ＿ＦＥ×１００／ＣＤＬＤ＿ＦＳ  …（１）
【００４２】
ステップＳ２０に続くステップＳ３０において、ＤＳＰ３２は、判別値Ａが判別値Ａ用閾値より小さいか否かを判定する。なお、判別値Ａ用閾値は、例えば、ＤＳＰ３２が内蔵している不揮発性メモリに予め記憶しておくとよい。
【００４３】
判別値Ａが判別値Ａ用閾値より小さければ（ステップＳ３０のＹＥＳ）、ＤＳＰ３２は、直ちにステップＳ４０に移行する。一方、判別値Ａが判別値Ａ用閾値より小さくなければ（ステップＳ３０のＮＯ）、ＤＳＰ３２は、ＣＤ用レーザビームでのフォーカスエラー信号ＣＤＬＤ＿ＦＥがＣＤＬＤ＿ＦＥ用閾値より小さいか否かを判定する（ステップＳ３５）。なお、ＣＤＬＤ＿ＦＥ用閾値は、例えば、ＤＳＰ３２が内蔵している不揮発性メモリに予め記憶しておくとよい。
【００４４】
ＣＤ用レーザビームでのフォーカスエラー信号ＣＤＬＤ＿ＦＥがＣＤＬＤ＿ＦＥ用閾値より小さくなければ（ステップＳ３５のＮＯ）、ＤＳＰ３２は、判別結果をＣＤに確定してフロー動作を終了する。一方、ＣＤ用レーザビームでのフォーカスエラー信号ＣＤＬＤ＿ＦＥがＣＤＬＤ＿ＦＥ用閾値より小さければ（ステップＳ３５のＹＥＳ）、光ディスク２がＤＶＤ−ＲＡＭである可能性があるため、ＤＳＰ３２は、判別結果をＣＤに確定せずに、ステップＳ４０に移行する。
【００４５】
ステップＳ４０において、ＤＳＰ３２は、第一光源１１ａがＤＶＤ用レーザビームを出射する場合に適したフォーカスサーチパラメータ（ＤＶＤＬＤ用フォーカスサーチパラメータ）を設定した後、ＤＶＤ用レーザビームでフォーカスサーチを行い、光検出器２０から出力される電気信号のレベルを取得する（ステップＳ４０）。
【００４６】
ステップＳ４０に続くステップＳ５０において、ＤＳＰ３２は、ＤＶＤ用レーザビームでのフォーカスエラー信号ＤＶＤＬＤ＿ＦＥと、ＤＶＤ用レーザビームでのフォーカスサム信号ＤＶＤＬＤ＿ＦＳとを生成し、その後、下記（２）式で表される判別値Ｂを設定する（ステップＳ５０）。
判別値Ｂ＝ＤＶＤＬＤ＿ＦＥ×１００／ＤＶＤＬＤ＿ＦＳ  …（２）
【００４７】
ステップＳ５０に続くステップＳ６０において、ＤＳＰ３２は、判別値Ｂが判別値Ｂ用閾値より小さいか否かを判定する。なお、判別値Ｂ用閾値は、例えば、ＤＳＰ３２が内蔵している不揮発性メモリに予め記憶しておくとよい。
【００４８】
判別値Ｂが判別値Ｂ用閾値より小さければ（ステップＳ６０のＹＥＳ）、ＤＳＰ３２は、ステップＳ７０に移行する。一方、判別値Ｂが判別値Ｂ用閾値より小さくなければ（ステップＳ６０のＮＯ）、ＤＳＰ３２は、判別結果をＤＶＤに確定してフロー動作を終了する。
【００４９】
ステップＳ７０において、ＤＳＰ３２は、判別値Ａが判別値Ｂより小さいか否かを判定する。判別値Ａが判別値Ｂより小さければ（ステップＳ７０のＹＥＳ）、ＤＳＰ３２は、判別結果をＤＶＤに確定してフロー動作を終了する。一方、判別値Ａが判別値Ｂより小さくなければ（ステップＳ７０のＮＯ）、ＤＳＰ３２は、ＣＤ用レーザビームでのフォーカスエラー信号ＣＤＬＤ＿ＦＥがＤＶＤ用レーザビームでのフォーカスエラー信号ＤＶＤＬＤ＿ＦＥより小さいか否かを判定する（ステップＳ７５）。
【００５０】
ＣＤ用レーザビームでのフォーカスエラー信号ＣＤＬＤ＿ＦＥがＤＶＤ用レーザビームでのフォーカスエラー信号ＤＶＤＬＤ＿ＦＥより小さければ（ステップＳ７５のＹＥＳ）、ＤＳＰ３２は、判別結果をＤＶＤに確定してフロー動作を終了する。一方、ＣＤ用レーザビームでのフォーカスエラー信号ＣＤＬＤ＿ＦＥがＤＶＤ用レーザビームでのフォーカスエラー信号ＤＶＤＬＤ＿ＦＥより小さくなければ（ステップＳ７５のＮＯ）、ＤＳＰ３２は、判別結果をＣＤに確定してフロー動作を終了する。
【００５１】
以上のような動作により、判別値Ａが判別値Ａ用閾値以上であっても、ＣＤ用レーザビームでのフォーカスエラー信号ＣＤＬＤ＿ＦＥがＣＤＬＤ＿ＦＥ用閾値より小さければ、判別結果をＣＤに確定せず、また、判別値Ａが判別値Ｂ以上であっても、ＣＤ用レーザビームでのフォーカスエラー信号ＣＤＬＤ＿ＦＥがＤＶＤ用レーザビームでのフォーカスエラー信号ＤＶＤＬＤ＿ＦＥより小さければ、判別結果をＣＤに確定しない。したがって、ＣＤ用レーザビームでのフォーカスエラー信号ＣＤＬＤ＿ＦＥ及びフォーカスサム信号ＣＤＬＤ＿ＦＳが極端に小さくなるＤＶＤ−ＲＡＭを誤ってＣＤと判別することを防止することができる。
【００５２】
なお、本発明の一実施形態に係る光ディスク装置が図４に示すフロー動作の代わりに図５に示すフロー動作を実行するようにしてもよい。図５のフローチャートは、図４のフローチャートのステップＳ３０とステップＳ３５との順序を入れ替えた構成である。
【００５３】
また、本発明の一実施形態に係る光ディスク装置が図４に示すフロー動作の代わりに図６に示すフロー動作を実行するようにしてもよい。図６のフローチャートは、図４のフローチャートのステップＳ７０とステップＳ７５との順序を入れ替えた構成である。
【００５４】
また、本発明の一実施形態に係る光ディスク装置が図４に示すフロー動作の代わりに図７に示すフロー動作を実行するようにしてもよい。図７のフローチャートは、図４のフローチャートのステップＳ３０とステップＳ３５との順序を入れ替え且つステップＳ７０とステップＳ７５との順序を入れ替えた構成である。但し、図７に示すフロー動作では、判別値Ｂが判別値Ｂ用閾値より小さい場合に、判別値Ａを用いた判定を経ずに判別結果をＤＶＤに確定してしまうことにより、ＣＤを誤ってＤＶＤと判別してしまうおそれがあるため、図７に示すフロー動作よりも図４〜図６に示すフロー動作の方が望ましい。なお、ＤＶＤを誤ってＣＤと判別してしまうよりもＣＤを誤ってＤＶＤと判別してしまう方が、弊害が少ないため、図７に示すフロー動作も有用である。
【００５５】
また、本発明の一実施形態に係る光ディスク装置が図４に示すフロー動作の代わりに図８に示すフロー動作を実行するようにしてもよい。図８のフローチャートは、図４のフローチャートのステップＳ１０〜Ｓ３５とステップＳ４０〜６０との順序を入れ替えた構成である。なお、図４のフローチャートから図８のフローチャートへの変形と同様の変形を、図５〜図７のフローチャートに対しても行うことが可能である。
【００５６】
さらに、上述した各フローチャートに対して、ステップＳ３５をＣＤ用レーザビームでのフォーカスサム信号ＣＤＬＤ＿ＦＳがＣＤＬＤ＿ＦＳ用閾値より小さいか否かを判定するステップに変更する変形、及び／又は、ステップＳ７５をＣＤ用レーザビームでのフォーカスサム信号ＣＤＬＤ＿ＦＳがＤＶＤ用レーザビームでのフォーカスサム信号ＣＤＬＤ＿ＦＳより小さいか否かを判定するステップに変更する変形を行うことが可能である。なお、ＣＤＬＤ＿ＦＳ用閾値は、例えば、ＤＳＰ３２が内蔵している不揮発性メモリに予め記憶しておくとよい。
【符号の説明】
【００５７】
１  光ピックアップ
２  光ディスク
１１ａ  第一光源
１１ｂ  第二光源
１２  ダイクロプリズム
１３  コリメートレンズ
１４  ビームスプリッタ
１５  立ち上げミラー
１６  １／４波長板
１７  コリメートレンズ
１８  対物レンズ
１９  検出レンズ
２０  光検出器
２１  アクチュエータ
２２  ＢＥＸモータ
３１  ＲＦアンプ
３２  ＤＳＰ
３３  再生処理回路
３４  出力回路
４１  ＣＰＵ
４２  ドライバ
４３  表示部
４４  操作部
５１  送りモータ
５２  スピンドルモータ
【図１】
0005423726.tif 000002
【図２】
0005423726.tif 000003
【図３】
0005423726.tif 000004
【図４】
0005423726.tif 000005
【図５】
0005423726.tif 000006
【図６】
0005423726.tif 000007
【図７】
0005423726.tif 000008
【図８】
0005423726.tif 000009
【図９】
0005423726.tif 000010